(57)【要約】【課題】コンピュータマウスなどのコンピュータ入力装置に発光表示により図案など浮き上がらせて表示する。【解決手段】半透明又は透明の上外殻１、図案２１を一つ以上具有し且つ該上外殻１下に設けられる半透明又は透明の中蓋２、該中蓋２と該上外殻１を結合する台座４、光源となる発光モジュール３、からなり、該発光モジュール３を発光させることにより、該中蓋２と該上外殻１上に図案が投射され、浮き上がって見えるようにする。【選択図】  図１
0003112765.tif 000002
【実用新案登録請求の範囲】
【請求項１】
上外殻と中蓋と台座とより構成される入力装置において、
該上外殻は、半透明或いは透明の材質からなり、
該中蓋は、半透明或いは透明の材質からなると共に、少なくとも一つの図案を具有し、且つ該上外殻の下方に配置され、
該台座は、光源を備えて図案に光線を投射して、該該図案を該中蓋から該上外殻に投射して、該図案を浮き上がらせて表示するように構成してなること、
を特徴とする図案を投射し浮き上がらせる機能を具有する入力装置。
【請求項２】
該入力装置は、マウス、キーボード、ドラッグボール、パソコンのネットワークカメラ、デジタルカメラ、ゲームのコントローラ等であることを特徴とする請求項１記載の図案を投射し浮き上がらせる機能を具有する入力装置。
【請求項３】
該図案は、図形、文字、会社の商標や、それらの組み合わせ等であることを特徴とする請求項１記載の図案を投射し浮き上がらせる機能を具有する入力装置。
【請求項４】
該図案は、レーザーマーキング方式により、該中蓋上に形成されることを特徴とする請求項１記載の図案を投射し浮き上がらせる機能を具有する入力装置。
【請求項５】
該図案は、プリント方式により該中蓋にプリントされてなることを特徴とする請求項１記載の図案を投射し浮き上がらせる機能を具有する入力装置。
【請求項６】
該図案は、遮光率の優れる色を用いてなり、且つ該中蓋上にプリントされていることを特徴とする請求項１記載の図案を投射し浮き上がらせる機能を具有する入力装置。
【請求項７】
該発光光源は、発光ダイオードであることを特徴とする請求項１記載の図案を投射し浮き上がらせる機能を具有する入力装置。
【請求項８】
該上外殻は、少なくとも一つのキーボタンを具有することを特徴とする請求項１記載の図案を投射し浮き上がらせる機能を具有する入力装置。
【請求項９】
該キーボタンは二つで、対称をなしていることを特徴とする請求項８記載の図案を投射し浮き上がらせる機能を具有する入力装置。
【請求項１０】
図案を投射し浮き上がらせる機能を具有する入力装置において、
半透明或いは透明な材質からなる上外殻を形成し、
少なくとも一つの図案を具有し、且つ半透明或いは透明な材質からなる中蓋を、上外殻の下方に配置し、
光源となる少なくとも一つの発光モジュールを設けて、該図案に対して光線を投射することにより、該図案を該上外殻上に投射して浮き上がらせて表示する、ように構成してなることを特徴とする図案を投射し浮き上がらせる機能を具有する入力装置。
【請求項１１】
該入力装置は、マウス、キーボード、ドラッグボール、パソコン用のネットワークカメラ、デジタルカメラ、ゲームのコントローラなどであることを特徴とする請求項９記載の図案を投射し浮き上がらせる機能を具有する入力装置。
【請求項１２】
該図案は、図形、文字、会社の商標やそれらの組み合わせであることを特徴とする請求項９記載の図案を投射し浮き上がらせる機能を具有する入力装置。
【請求項１３】
該図案は、レーザーマーキングにより該中蓋上に形成されてなることを特徴とする請求項９記載の図案を投射し浮き上がらせる機能を具有する入力装置。
【請求項１４】
該図案は、プリント方式で該中蓋上に形成されてなることを特徴とする請求項９記載の図案を投射し浮き上がらせる機能を具有する入力装置。
【請求項１５】
該図案は、遮光率に優れる色をからなり、該中蓋上にプリントされてなることを特徴とする請求項９記載の図案を投射し浮き上がらせる機能を具有する入力装置。
【請求項１６】
該発光モジュールは、発光ダイオードであることを特徴とする請求項９記載の図案を投射し浮き上がらせる機能を具有する入力装置。
【請求項１７】
該上外殻は、少なくとも一つのキーボタンを具有することを特徴とする請求項９記載の図案を投射し浮き上がらせる機能を具有する入力装置。
【考案の詳細な説明】
【技術分野】
【０００１】
本考案は、図案を投射し浮き上がらせる機能を具有する入力装置に係り、特に二層の半透明或いは全透明の材質を利用し、プリントの技術を併せ、発光していないときは一般の入力装置と何ら変わりなく、図案が塗装されているかのように見えるが、発光すると図案が投射されて浮き上がらせる機能を具有する入力装置に関わる。
【背景技術】
【０００２】
一般に使用されているコンピュータの入力装置は、使用者にとって非常に重要な道具の一つとなっている。典型的なものとして、マウスやキーボード、ドラッグボール、パソコン用のネットワークカメラやデジタルカメラ、ゲーム機器のコントローラ等がこれに含まれる。科学・技術の発展に伴い、コンピュータ入力装置のニーズも高まっており、こういった需要を達成するべく、コンピュータの入力装置の研究と開発が進んでいる。また、昨今の傾向として、発光するコンピュータ入力装置も開発されている。
【０００３】
図４に示すように、公知の発光するコンピュータ入力装置では、主に外殻５１とスクリーン５２を具有し、該スクリーン５２が該外殻５１の表面上に附着している。該スクリーン５２は半透明或いは透明な材質によるもので、表面に図形や文字、会社の商標、並びにこれらの組み合わせが形成されており、該入力装置内の光源が発光すると、該光源が該スクリーン５２を透って該図形、文字、会社の商標などが該スクリーン５２上に映し出される。
【０００４】
また、米国特許第6,547,420号明細書（申請日は2001年11月19日、登録日は2003年4月15日）でも発光するコンピュータ入力装置が提供されている。図５に示すように、該発光するコンピュータ入力装置には外殻６１と台座６２が含まれ、少なくとも一つ以上設けられる外殻６１と台座６２は、半透明或いは透明な材質からなり射出成型により製造される。更に、被覆層６３も半透明或いは透明であり、該被覆層５３の一部分はレーザーマーキングやこれに類似する方法で除去され、所望の図案（ウインドウ）６４を形成する。該図案とは図形や文字、会社の商標などであり、該コンピュータ入力装置内の光源が発光すると、該光源が該図案（ウインドウ）６４上に浮き上がるようになっている。
【特許文献１】米国特許第6,547,420号明細書
【特許文献２】特開７−３３４１３２号公報
【考案の開示】
【考案が解決しようとする課題】
【０００５】
しかし、上述のような公知の発光するコンピュータ入力装置には以下の欠点がある。一つに、製造の際、外殻のスクリーンを設置するためのスペースをカットしてしまわねばならないため、プロセスがやや複雑となってコストも高くついていること。また該スクリーンの面積が非常に小さく、発光効果に劣ることが言える。
また上述の発光するコンピュータの入力装置にも以下の欠点がある。まず該図案は該上外殻に成型されているため、キーボタンを設けることができないこと。更には該図案には保護のためのコーティングを施さねばならず、コストが高くついていることが言える。また、該図案は内部の光源が直接照射されるため、立体的なビジュアル効果が得られない。
そこで上述の欠点に鑑み、コストを抑えつつ、優れたビジュアル効果を提供するべく本考案の図案を投射し浮き上がらせる機能を具有する入力装置を提供する。
【課題を解決するための手段】
【０００６】
二層の透明や半透明の材質で光を散乱させること、並びにプリント技術を用い、入力装置が発光していないときには図案が塗装されているかのように見え、発光すると図案が投射されて立体的に浮き出るように見える効果を提供するべく、材質が半透明のものによる上外殻、並びに一つ以上の図案を具有し該上外殻下方に設けられる半透明或いは透明な材質による中蓋、及び該中蓋と該上外殻を連結させる台座に加え、発光モジュールを該台座中に設ける。
【考案の効果】
【０００７】
本考案によると、低コストで入力装置に立体的でビジュアル効果に優れた図案が投射される機能を付加し、消費者の購買意欲を促進する商品を提供する目的が達成された。
【考案を実施するための最良の形態】
【０００８】
図１に示すように、本考案の図案を投射し浮き上がらせる機能を具有する入力装置では、第一実施例では、上外殻１と中蓋２、並びに少なくとも一つの発光モジュール３及び台座４より構成される。該入力装置には、マウスやドラッグボール、キーボード、パソコンのネットワークカメラ、デジタルカメラ、ゲームコントローラ等が含まれ、本実施例中ではマウスにて実施しているが、これに限られるものではない。
該上外殻１は透明か半透明の材質、もしく部分的に透明を呈しているものとし、該台座４上に蓋をする形で設けられる。該上外殻１はキーボタンとして使用してもよく、それは一つ或いはは二つで構成されるものとする。
該中蓋２は、半透明材質、或いは透明な材質によるもので、該外殻１の下方に設置され、且つ少なくとも一つ以上の図案２１（図３参照）が設けられる。該図案２１は図形や文字、会社の商標やそれらの組み合わせ等が挙げられるがそれらに限られるものではなく、該図案２１は遮光率に優れる色を具有するものとし、且つレーザーで一部の区域が光を透す（米国特許第6,547,420号明細書参照）ようにマーキングされている、或いは感熱印刷により該中蓋２上にプリントすることで、透光、或いは非透光、もしくは半透光等、明暗のついた区域を形成する。或いは、３Dレーザーマーキングにより、該中蓋２に図案２１を形成するものとする。
該発光モジュール３は、該台座４内に設けられ、且つ該中蓋２下方には少なくとも一つの発光ダイオード（LED）が設けられ、実際に投射する際には必要に応じて設ける数量と位置を決定する。
【０００９】
図２に示すように、該中蓋２と台座４においては、該発光モジュール３が該台座４のある位置に設けられ、該中蓋２で該台座４上を蓋する形で結合される。該発光モジュール３が発光していないときは、該入力装置は一般の入力装置と何ら変わりがなく図案が塗装されているかのように見えるが、該発光モジュール３が発光すると、光線が該中蓋２の図案区域を投射し浮き上がらせる。こうして該図案２１が投射されることにより、上述のように透光、非透光、半透光部分等より形成される図案が該中蓋２上に現れ、コストを抑えつつ消費者を魅了するような製品を提供する。
【００１０】
図３に示すように、本考案の入力装置と該上外殻１との連結においてであるが、該中蓋２と該台座４とが組み立てられた後、該上外殻１で該中蓋２上に蓋をする形で結合させる。こうして該発光モジュール３が発光していないとき、上述同様に該入力装置は一般の入力装置と何ら変化がないが、該発光モジュール３が発光すると、光線が該中蓋２を透り、該図案２１が透明或いは半透明の該上外殻１上に投射される。該発光モジュール３が発する光線は、該中蓋２と該上外殻１の散乱効果により、本考案を使用する環境へと発散され、立体的投射によるビジュアル効果が提供される。
【００１１】
また本考案において、図案を入力装置の表面に浮き上がらせる方法には、以下の手順が含まれる。まず半透明の材質による上外殻１を提供し（手順１）、次に該上外殻１の下方個所に、少なくとも一つ以上の図案２１を具有し、半透明或いは透明材質による中蓋を設置する（手順２）。発光モジュール３を提供し、該台座４上該中蓋２下方個所にこれを被覆し、該発光モジュール３が発光する際、該図案２１が該上外殻１上に浮き上がるようにする（手順２）。
上述の手順１において、該上外殻１は半透明の材質によるものとし、該中蓋２は半透明の材質、或いは透明の材質によるもの、且つ少なくとも一つ以上の図案２１が設けられ、且つ該上外殻１下方に設置されるものとするが、該図案２１は図形、文字、商標、及びこれらの組み合わせ等があるが、これらに限られるものではなく、且つ該図案２１は遮光率の高い色で、３Dレーザーマーキングによりマーキングされる、或いはプリント方式により該中蓋２上にプリントされるものとする。
手順２中では、該発光モジュール３が該台座４中における該中蓋２下方個所に設置されるが、該発光モジュール３とは発光ダイオード（LED）が望ましく、該発光モジュール３が発光する際、該図案２１が該上外殻１上に浮き上がる。
【図面の簡単な説明】
【００１２】
【図１】本考案における第一実施例であり、図案を投射し浮き上がらせる機能を具有する入力装置の断面を示す図である。
【図２】本考案における中蓋と台座との連結状態を示す図である。
【図３】本考案の入力装置と上外殻との連結状態を示す図である。
【図４】公知の構造におけるコンピュータ入力装置の説明図である。
【図５】アメリカ特許第6,547,420号の発光するコンピュータ入力装置の組み立て後の様子を示す外観図である。
【符号の説明】
【００１３】
１  上外殻
２  中蓋
２１  図案
３  発光モジュール
４  台座
５１  外殻
５２  スクリーン
６１  外殻
６２  台座
６３  被覆層
６４  ウインドウ
【図１】
0003112765.tif 000003
【図２】
0003112765.tif 000004
【図３】
0003112765.tif 000005
【図４】
0003112765.tif 000006
【図５】
0003112765.tif 000007